(57)【特許請求の範囲】
【請求項１】
支柱と、当該支柱に取り付けられた支持体と、支持体に着脱可能に支持されるパネルと、を備え、
上記パネルは、平板状の主板部と、この主板部の端部に屈曲状につながる平板状の取付け板部と、を有し、
上記支持体は、上記取付け板部を保持する保持手段を有する、パネル付きスタンド。
【請求項２】
上記支持体は、上記取付け板部の一方の面と面接触する第１板部を有し、
上記保持手段は、上記取付け板部の他方の面を上記第１板部に向けて押圧する押圧機構と、を含む、請求項１に記載のパネル付きスタンド。
【請求項３】
上記押圧機構は、ネジ機構により構成される、請求項２に記載のパネル付きスタンド。
【請求項４】
上記押圧機構は、上記取付け板部の上記他方の面と面接触する押圧板部と、上記押圧板部を上記第１板部に向けて押圧するネジ部材と、を含む、請求項３に記載のパネル付きスタンド。
【請求項５】
上記支持体は、上記第１板部と実質的に平行に配置され、かつ上記ネジ部材のネジ軸を螺合するネジ孔が形成された第２板部を有する、請求項４に記載のパネル付きスタンド。
【請求項６】
上記支持体は、上記押圧板部と、この押圧板部と実質的に平行に配置されたガイド板部と、上記押圧板部および上記ガイド板部をつなぐ連結板部と、を有する押圧部材を備えており、
上記ガイド板部には、上記ネジ部材のネジ軸を挿通させる貫通孔が形成されている、請求項５に記載のパネル付きスタンド。
【請求項７】
上記支持体は、上記第１板部と上記第２板部とをつなぐ第３板部を有し、
上記第３板部は上記支柱の端部に連結されている、請求項５または６に記載のパネル付きスタンド。
【請求項８】
上記取付け板部は、上記主板部の上記端部に沿う方向を長手方向とする長矩形状とされており、
上記ネジ部材は、上記取付け板部の長手方向において互いが離間するように複数設けられている、請求項４ないし７のいずれかに記載のパネル付きスタンド。
【発明の詳細な説明】
【技術分野】
【０００１】
本発明は、たとえば床面上などにおいて起立する支柱に支持されたパネルを備えるパネル付きスタンドに関する。
【背景技術】
【０００２】
従来、イベント会場や店舗などの様々な施設において、たとえば案内表示用のパネルを具備するパネル付きスタンドが使用されている。パネル付きスタンドは、一般に、床面上に起立する支柱と、支柱の上端に設けられた支持体によって支持される平板状のパネルと、を備えており、当該パネルがたとえば直立姿勢などの一定姿勢で支持されている。
【０００３】
パネル付きスタンドにおいて、たとえばパネルの床面からの高さ位置に応じて、あるいはパネルの表示内容を観察する者が当該パネルから離れる距離に応じて、パネルの姿勢を変更させて表示させたいニーズがある。これに対し、特許文献１には、パネルが支柱に対して傾動可能に支持されたパネル付きスタンドが記載されている。同文献に開示されたパネル付きスタンドにおいて、傾動手段は、回転可能な球状部材や屈曲可能なフレキシブル部材で構成される。これにより、パネルの傾斜角度を任意に変更することができる。
【０００４】
しかしながら、特許文献１に示されたパネル付きスタンドにおいては、パネルの傾斜角度を変更することが可能であるものの、予め設定した一定の傾斜角度に保持することは困難である。また、傾斜角度を変更可能とするための構造が比較的に複雑であった。
【先行技術文献】
【特許文献】
【０００５】
【特許文献１】特開２００８−３５３３号公報
【発明の概要】
【発明が解決しようとする課題】
【０００６】
本発明は、このような事情のもとで考え出されたものであって、比較的に簡単な構造によってパネルの姿勢を傾斜度合いが互いに異なる複数の姿勢に変更可能なパネル付きスタンドを提供することを主たる課題とする。
【課題を解決するための手段】
【０００７】
上記の課題を解決するため、本発明では、次の技術的手段を講じている。
【０００８】
本発明によって提供されるパネル付きスタンドは、支柱と、当該支柱に取り付けられた支持体と、支持体に着脱可能に支持されるパネルと、を備え、上記パネルは、平板状の主板部と、この主板部の端部に屈曲状につながる平板状の取付け板部と、を有し、上記支持体は、上記取付け板部を保持する保持手段を有する。
【０００９】
好ましい実施の形態においては、上記支持体は、上記取付け板部の一方の面と面接触する第１板部を有し、上記保持手段は、上記取付け板部の他方の面を上記第１板部に向けて押圧する押圧機構と、を含む。
【００１０】
好ましい実施の形態においては、上記押圧機構は、ネジ機構により構成される。
【００１１】
好ましい実施の形態においては、上記押圧機構は、上記取付け板部の上記他方の面と面接触する押圧板部と、上記押圧板部を上記第１板部に向けて押圧するネジ部材と、を含む。
【００１２】
好ましい実施の形態においては、上記支持体は、上記第１板部と実質的に平行に配置され、かつ上記ネジ部材のネジ軸を螺合するネジ孔が形成された第２板部を有する。
【００１３】
好ましい実施の形態においては、上記支持体は、上記押圧板部と、この押圧板部と実質的に平行に配置されたガイド板部と、上記押圧板部および上記ガイド板部をつなぐ連結板部と、を有する押圧部材を備えており、上記ガイド板部には、上記ネジ部材のネジ軸を挿通させる貫通孔が形成されている。
【００１４】
好ましい実施の形態においては、上記支持体は、上記第１板部と上記第２板部とをつなぐ第３板部を有し、上記第３板部は上記支柱の端部に連結されている。
【００１５】
好ましい実施の形態においては、上記取付け板部は、上記主板部の上記端部に沿う方向を長手方向とする長矩形状とされており、上記ネジ部材は、上記取付け板部の長手方向において互いが離間するように複数設けられている。
【００１６】
本発明のその他の特徴および利点は、添付図面を参照して以下に行う詳細な説明によって、より明らかとなろう。
【図面の簡単な説明】
【００１７】
【図１】本発明に係るパネル付きスタンドの一例を示す斜視図である。
【図２】図１に示すパネル付きスタンドの平面図である。
【図３】図１に示すパネル付きスタンドの側面図である。
【図４】図２のＩＶ−ＩＶ線に沿う部分拡大断面図である。
【図５】図２のＶ−Ｖ線に沿う部分拡大断面図である。
【図６】パネルを説明するための部分拡大断面図である。
【図７】ネジ部材を緩めた状態を示す図４と同様の断面図である。
【図８】図４と対比するための図であり、パネルを裏返して支持体に支持させた状態を示す部分拡大断面図である。
【図９】パネルを保持する構成の他の例を示す図４と同様の断面図である。
【図１０】パネルを保持する構成の他の例を示す図４と同様の断面図である。
【発明を実施するための形態】
【００１８】
以下、本発明の好ましい実施の形態について、図面を参照して具体的に説明する。
【００１９】
図１〜図５は、本発明に係るパネル付きスタンドの一例を示す。本実施形態のパネル付きスタンドＡ１は、支柱１と、支柱１に取り付けられた支持体２と、支持体２に支持されるパネル３と、を備えている。
【００２０】
本実施形態において、支柱１は、ベース１１から起立しており、鉛直方向に延びている。ベース１１は、床面に載置される部材であり、平面視略円形の板状とされている（図２、図３参照）。支柱１は、概略円筒状に形成されている。図示説明は省略するが、支柱１は、ベース１１に対して、たとえばねじを用いた締結によって着脱可能に連結されている。ベース１１には、一定幅の切欠き１１１が形成されている。この切欠き１１１の幅寸法は、支柱１の外径よりも少し大とされている。複数のパネル付きスタンドＡ１を収納する際には、支柱１が別のパネル付きスタンドＡ１の切り欠き１１１に嵌り込むようにすると、収納スペースを縮小することができる。
【００２１】
図２、図３に示すように、支持体２は、ベース部材２１と、押圧部材２２と、ネジ部材２３と、を備えて構成されている。ベース部材２１は、概略水平方向に長状に延びており、第１板部２１１、第２板部２１２および第３板部２１３を有する。第１板部２１１、第２板部２１２および第３板部２１３は、各々が長矩形状の平板状であるとともに、相互に屈曲状につながっている。
【００２２】
第３板部２１３は、水平面に略沿う姿勢であり、支柱１の上端に取り付けられている。具体的には、図５に示すように、第３板部２１３の長手方向の中央下面において、ボルト２１３ａが溶接等の適宜手段により固着されている。また、支柱１の上端部内面には、ナット１ａが溶接等により固着されている。そして、支柱１上端のナット１ａに第３板部２１３下部のボルト２１３ａを螺合することにより、第３板部２１３（ベース部材２１）が支柱１に取り付けられている。第１板部２１１および第２板部２１２は、第３板部２１３の短手方向の端部にそれぞれつながっている。このようにして、第３板部２１３は、第１板部２１１と第２板部２１２とをつないでいる。
【００２３】
第１板部２１１は、第３板部２１３から起立している。第１板部２１１は、後述するパネル３の取付け板部３２と面接触する部分である。本実施形態において、第１板部２１１は、鉛直方向に対して傾斜する姿勢である。鉛直方向に対する第１板部２１１の傾斜角度は、たとえば１０〜３０°程度である。図３、図４においては、第１板部２１１の鉛直方向に対する傾斜角度が約１２°である一例を示している。
【００２４】
第２板部２１２は、第３板部２１３から起立している。本実施形態において、第２板部２１２は、鉛直方向に対して傾斜する姿勢であり、第１板部２１１と実質的に平行である。鉛直方向に対する第２板部２１２の傾斜角度は、たとえば１０〜３０°程度である。図３、図４に示した第２板部２１２の鉛直方向に対する傾斜角度は約１２°である。
【００２５】
図４に示すように、第２板部２１２にはネジ孔２１２ａが形成されている。ネジ孔２１２ａは、第２板部２１２の厚さ方向が軸線方向となるように形成されている。図２に示すように、本実施形態において、ネジ孔２１２ａは、第２板部２１２の長手方向において離間する２箇所に形成されている。ネジ孔２１２ａは、第２板部２１２の両端の近傍に設けられている。
【００２６】
押圧部材２２は、概略水平方向に長状に延びており、ベース部材２１の第１板部２１１、第２板部２１２および第３板部２１３により囲まれた空間に配置されている。押圧部材２２は、押圧板部２２１、ガイド板部２２２および連結板部２２３を有する。押圧板部２２１、ガイド板部２２２および連結板部２２３は、各々が長矩形状の平板状であるとともに、相互に屈曲状につながっている。押圧板部２２１およびガイド板部２２２は、連結板部２２３の短手方向の端部にそれぞれつながっている。このようにして、連結板部２２３は、押圧板部２２１およびガイド板部２２２をつないでいる。
【００２７】
本実施形態において、押圧板部２２１は、鉛直方向に対して傾斜する姿勢である。押圧板部２２１は、後述するパネル３の取付け板部３２と面接触する部分である。
【００２８】
ガイド板部２２２は、鉛直方向に対して傾斜する姿勢であり、押圧板部２２１と実質的に平行である。図４に示すように、ガイド板部２２２には、厚さ方向に貫通する貫通孔２２２ａが形成されている。貫通孔２２２ａは、第２板部２１２の厚さ方向が軸線方向となるように形成されている。図２に示すように、本実施形態において、貫通孔２２２ａは、ガイド板部２２２の長手方向において離間する２箇所に形成されている。貫通孔２２２ａは、ガイド板部２２２の両端の近傍に設けられている。これら貫通孔２２２ａは、各々、第２板部２１２に形成されたネジ孔２１２ａに対応する位置に形成されている。
【００２９】
ネジ部材２３は、押圧部材２２（押圧板部２２１）を第１板部２１１に向けて押圧するためのものである。本実施形態においては、第２板部２１２に形成された２箇所のネジ孔２１２ａに対応して２つ（複数）のネジ部材２３が用いられる。ネジ部材２３は、そのネジ軸２３１が、第２板部２１２のネジ孔２１２ａに螺合されるとともにガイド板部２２２の貫通孔２２２ａに挿通している。
【００３０】
パネル３は、主板部３１および取付け板部３２を有する。主板部３１および取付け板部３２は、各々が概略矩形状の平板状であるとともに、屈曲状につながっている。図６に示すように、主板部３１に対する取付け板部３２の屈曲角度θ（図６に示した、主板部３１の延長面と取付け板部３２とがなす角度）は、たとえば１０〜３０°程度である。図３、図４においては、主板部３１に対する取付け板部３２の屈曲角度が約１２°である場合を示している。
【００３１】
パネル３は、周囲から視認可能に案内表示等を掲げるものである。本実施形態において、パネル３は、たとえば透明なアクリル樹脂からなり、主板部３１の頂部で折り返されることで２枚のプレート部分が重なり合う構造とされている。そして、たとえば主板部３１における当該２枚のプレート部分の間に表示内容が記載されたシート（図示略）を挟むことにより、パネル付きスタンドＡ１の正面から見て上記シートの表示内容を視認することが可能となっている。なお、パネル３の材質はアクリル樹脂に限定されず、種々の態様を取りうるものである。本発明のパネルは、たとえば金属製の板材により構成してもよく、また、樹脂製の板材の外側に金属製の枠体が装着された構成としてもよい。
【００３２】
パネル３は、支持体２により着脱可能に支持されている。パネル３の取付け板部３２は水平方向に延びる長矩形状であり、この取付け板部３２が支持体２の適所に挟まれることにより、パネル３は支持体２に支持される。図４に示すように、パネル３支持体２に支持された状態において、支持体２の第１板部２１１は取付け板部３２の一方の面３２ａと面接触しており、また、支持体２の押圧板部２２１は取付け板部の他方の面３２ｂと面接触している。ここで、ネジ部材２３が締め込まれることで押圧板部２２１を第１板部２１１に向けて所定の押圧力で押圧している。支持体２において、鉛直方向に対する第１板部２１１の傾斜角度および鉛直方向に対する押圧板部２２１の傾斜角度が約１２°である。パネル３において、主板部３１に対する取付け板部３２の屈曲角度θが約１２°である。これにより、パネル３の主板部３１は、鉛直方向に沿って直立する。
【００３３】
図４に示す状態からネジ部材２３を緩めると、押圧板部２２１による第１板部２１１側への押圧が解放されて、第１板部２１１および押圧板部２２１の隙間を広げることができる（図７参照）。このとき、取付け板部３２（パネル３）を支持体２から取り外すことができる。
【００３４】
パネル３については、表示面を裏返して支持体２に支持させることができる。図８は、図４に示した状態からパネル３の表示面を裏返して取り付けられた状態を示している。図８に示されたパネル３において、図４では押圧板部２２１と面接触していた面３２ｂが第１板部２１１と面接触し、図４では第１板部２１１と面接触していた面３２ａが押圧板部２２１と面接触する。ここで、鉛直方向に対する第１板部２１１の傾斜角度および鉛直方向に対する押圧板部２２１の傾斜角度が約１２°であり、主板部３１に対する取付け板部３２の屈曲角度θが約１２°である。これにより、パネル３の主板部３１は、鉛直方向に対して約２４°傾斜する姿勢となる。図３および図４において、表示面を裏返して取り付けたパネル３を仮想線で示している。なお、上記構成のパネル付きスタンドＡ１において、押圧板部２２１およびネジ部材２３は本発明で言う押圧機構や保持手段を構成している。
【００３５】
次に、本実施形態の作用について説明する。
【００３６】
パネル付きスタンドＡ１において、パネル３は、平板状の主板部３１およびこの主板部３１の端部に屈曲状につながる平板状の取付け板部３２を有する。支持体２は、取付け板部３２を保持する手段（第１板部２１１、押圧部材２２およびネジ部材２３）を有する。このような構成によれば、図４および図８に示されるように、パネル３（取付け板部３２の両面）を裏返して取付け板部３２を保持することにより、パネル３の姿勢を傾斜度合いが異なる複数の姿勢に変更可能である。また、主板部３１に対して屈曲状の取付け板部３２を設けるといった比較的に簡単な構造によって、上記のようなパネル３の姿勢変更が可能である。
【００３７】
パネル３の取付け板部３２は、その一方の面３２ａ（３２ｂ）が支持体２の第１板部２１１と面接触させられ、他方の面３２ｂ（３２ａ）が押圧機構（押圧板部２２１およびネジ部材２３）により押圧させられる。このように取付け板部３２の片面３２ａ（３２ｂ）が第１板部２１１に面接触する状態で取付け板部３２が保持される構成によれば、パネル３を所定の姿勢で正確に支持させることができる。
【００３８】
取付け板部３２には押圧板部２２１が面接触させられるとともに、ネジ部材２３により押圧部材２２１が第１板部２１１に向けて押圧させられる。このような構成によれば、ネジ部材２３による押圧力が押圧板部２２１を介して分散して取付け板部３２に作用する。したがって、取付け板部３２（パネル３）の材質が樹脂製である場合等において、取付け板部３２（パネル３）の破損を防止しつつ当該パネル３を適切に支持することができる。
【００３９】
支持体２は、ガイド板部２２２を有する押圧部材２２を備えており、ネジ部材２３のネジ軸２３１は、ガイド板部２２２に形成された貫通孔２２２ａに挿通されている。このような構成によれば、押圧板部２２１に適切な姿勢をとらせつつ押圧部材２２が不容易に脱落するのを防止することができる。
【００４０】
取付け板部３２は長矩形状とされている。ネジ部材２３は、取付け板部３２の長手方向において互いが離間するように複数（本実施形態では２つ）設けられている。このような構成によれば、長状の取付け板部３２を的確に支持することができる。
【００４１】
以上、本発明の具体的な実施形態を説明したが、本発明はこれに限定されるものではなく、発明の思想から逸脱しない範囲内で種々な変更が可能である。本発明に係るパネル付きスタンドの各部の具体的な構成は、種々に設計変更自在である。
【００４２】
上記実施形態のパネル付きスタンドにおいては、支持体によってパネルを下側から支えるように構成されていたが、これに限定されず、たとえば支持体によってパネルを吊り下げるように構成してもよい。
【００４３】
パネルにおける主板部に対する取付け板部の屈曲角度は適宜変更可能であり、支持体における第１板部の鉛直方向に対する傾斜角度も適宜変更可能である。
【００４４】
上記実施形態においては、パネルにおける主板部の一端縁に取付け板部が屈曲状につながる構成を示したが、主板部の異なる端縁に対して屈曲角度が互いに異なる複数の取付け板部がつながる構成としてもよい。複数の取付け板部を具備する場合、主板部に対する取付け板部の屈曲角度が互いに異なるようにすることで、パネルの姿勢を傾斜度合いが異なるさらに多くの姿勢に変更可能である。
【００４５】
上記実施形態では、取付け板部を押圧するための機構としてネジ部材を用いて構成される場合について説明したが、押圧機構の構成は種々変更可能であり、たとえばレバー操作によりクランプする構造を採用してもよい。
【００４６】
上記実施形態においては、パネル３の取付け板部３２が第１板部２１１と押圧板部２２１（押圧機構）とによって挟まれることでパネル３が所定の姿勢に保持される構成とされていたが、パネル３を保持するための構成は種々変更可能である。
【００４７】
図９および図１０は、パネル３を保持する構成の他の例を示している。図９に示した変形例において、支持体２は、互いに平行となるように起立する複数の板部２４１，２４２，２４３を有する。板部２４１および板部２４２の間隔はパネル３の取付け板部３２の厚さよりも僅かに大きくされており、板部２４１，２４２の間に取付け板部３２を差し込むことが可能である。板部２４１，２４２の適所には貫通孔２４１ａ，２４２ａが形成されており、板部２４３の適所にはネジ孔２４３ａが形成されている。貫通孔２４１ａ，２４２ａおよびネジ孔２４３ａは、板部２４１，２４２，２４３の厚さ方向に見て互いにが重なるように設けられている。また、取付け板部３２の適所には、厚さ方向に貫通する貫通孔３２ｃが形成されている。ネジ孔２４３ａには取付けネジ２５が取り付けられる。より具体的には、取付けネジ２５は、そのネジ軸２５１が、支持体２（板部２４１，２４２）の貫通孔２４１ａ，２４２ａおよびパネル３（取付け板部３２）の貫通孔３２ｃに挿通されるとともに板部２４３のネジ孔２４３ａに螺合している。上記の貫通孔２４１ａ，２４２ａ、ネジ孔２４３ａ、および貫通孔３２ｃは、支持体２の長手方向において離間する２箇所に形成されている。
【００４８】
図９に示した構成によってもパネル３が支持体２により所定の姿勢で保持される。パネル３（取付け板部３２の両面）を裏返して取付け板部３２を保持することにより、パネル３の姿勢を傾斜度合いが異なる複数の姿勢に変更可能である。
【００４９】
図１０に示した変形例において、支持体２は、互いに平行となるように起立する複数の板部２６１，２６２を有する。板部２６１および板部２６２の間隔はパネル３の取付け板部３２の厚さよりも僅かに大きくされている。板部２６１，２６２には、互いの対向面から凹んだ係合溝２６１ａ，２６２ａが形成されている。係合溝２６１ａ，２６２ａは、互いに対向する位置に設けられ、支持体２の長手方向全体にわたって延びている。パネル３については、取付け板部３２の下端において一対の係合凸部３２１，３２２が形成されている。これら係合凸部３２１，３２２は、取付け板部の両方の面３２ａ，３２ｂから厚さ方向において遠ざかる方向に突き出ている。図１０に示すように、係合凸部３２１は係合溝２６１ａに嵌合しており、係合凸部３２２は係合溝２６２ａに嵌合している。係合凸部３２１，３２２は、支持体２の長手方向の一部または全体に形成されている。パネル３を支持体２に取り付ける際には、係合凸部３２１，３２２を係合溝２６１ａ，２６２ａに嵌合させつつ、パネル３を支持体２の長手方向に沿ってスライド移動させる。
【００５０】
図１０に示した構成によってもパネル３が支持体２により所定の姿勢で保持される。パネル３（取付け板部３２の両面）を裏返して取付け板部３２を保持することにより、パネル３の姿勢を傾斜度合いが異なる複数の姿勢に変更可能である。なお、パネル３を裏返した状態においては、係合凸部３２１が係合溝２６２ａに嵌合し、係合凸部３２２が係合溝２６１ａに嵌合する。
【符号の説明】
【００５１】
Ａ１          パネル付きスタンド
１            支柱
１ａ          ナット
１１          ベース
１１１        切欠き
２            支持体
２１          ベース部材
２１１        第１板部
２１２        第２板部
２１２ａ      ネジ孔
２１３        第３板部
２１３ａ      ボルト
２２          押圧部材
２２１        押圧板部（押圧機構、保持手段）
２２２        ガイド板部
２２２ａ      貫通孔
２２３        連結板部
２３          ネジ部材（押圧機構、保持手段）
２３１        ネジ軸
２４１，２４２，２４３    板部
２５          取付けネジ
２５１        ネジ軸
２４１ａ，２４２ａ    貫通孔
２４３ａ      ネジ孔
２６１，２６２    板部
２６１ａ，２６２ａ    係合溝
３            パネル
３１          主板部
３２          取付け板部
３２ａ，３２ｂ    面
３２ｃ        貫通孔
３２１，３２２    係合凸部
【図１】
0006659039.tif 000002
【図２】
0006659039.tif 000003
【図３】
0006659039.tif 000004
【図４】
0006659039.tif 000005
【図５】
0006659039.tif 000006
【図６】
0006659039.tif 000007
【図７】
0006659039.tif 000008
【図８】
0006659039.tif 000009
【図９】
0006659039.tif 000010
【図１０】
0006659039.tif 000011